(57)【要約】      （修正有）【課題】簡便に次亜塩素酸ナトリウム水溶液と酸性化学薬剤水溶液の供給量、反応時間、滞留時間を制御でき、有害な塩素ガスの発生することがない、省エネルギーで、かつ省スペースな次亜塩素酸水の生成装置を提供する。【解決手段】次亜塩素酸ナトリウム水溶液を酸性化学薬剤水溶液で中和反応することによって、次亜塩素酸水を生成する反応装置１において、原料となる次亜塩素酸ナトリウム水溶液２１と酸性化学薬剤水溶液２２を、それぞれ原水の送液力のみを利用して、それぞれの原水に連続添加し、かつ該送液力により反応槽２３に搬送することにより反応槽２３内で目的とする次亜塩素酸水となる。原水の送液力のみにより生じるベンチュリ―効果で次亜塩素酸ナトリウム水溶液３１と酸性化学薬剤水溶液３２の添加量を制御し、所定のｐＨ値、濃度の次亜塩素酸水を有害な塩素ガスを発生することなく生成する。【選択図】図１
0003227441.tif 000002
【実用新案登録請求の範囲】
【請求項１】
所定の圧力で供給される原水流の上流側管路と、前記上流側管路の下流端から分岐して再び合流する第１分岐管路および第２分岐管路と、前記第１、第２分岐管路の下流端の合流点から延びている下流側管路と、予め設定した濃度の次亜塩素酸ナトリウム水溶液を貯留する第１薬液タンクと、予め設定した濃度の酸性化学薬剤の水溶液を貯留する第２薬液タンクと、前記第１分岐管路を流れる原水に、前記第１薬液タンクから次亜塩素酸ナトリウム水溶液を所定量連続に供給する第１アスピレーターと、前記第２分岐管路を流れる原水に、前記第２薬液タンクから酸性化学薬剤の水溶液を所定量連続に供給する第２アスピレーターを有し、前記下流側管路において、次亜塩素酸ナトリウムの希釈水溶液および酸性化学薬剤の希釈水溶液を撹拌混合することで、次亜塩素酸水を得ることを特徴とする次亜塩素酸水の生成装置。
【請求項２】
前記下流側管路途中に次亜塩素酸水を貯留する第３薬液タンクを設置することを特徴とする請求項１記載の次亜塩素酸水の生成装置。
【請求項３】
前記第３薬液タンクの上流側の下流側管路は、次亜塩素酸ナトリウムの希薄水溶液と酸性化学薬剤の希薄水溶液が合流する送液チューブであることを特徴とする請求項２記載の次亜塩素酸水の生成装置。
【考案の詳細な説明】
【技術分野】
【０００１】  本考案はベンチュリ―効果を利用して次亜塩素酸ナトリウム水溶液と高濃度の酸性化学薬剤をそれぞれ希釈し、中和反応をさせ次亜塩素酸水を生成する装置に関する。詳しくは次亜塩素酸ナトリウム水溶液と高濃度の酸性化学薬剤をアスピレーターで原水に連続添加し、それぞれの希釈した水溶液を中和反応させ、化学的に安定した次亜塩素酸水を生成させる反応装置に関する。
【背景技術】
【０００２】  医療用器具の殺菌、食品加工場での食材の殺菌、また植物栽培での洗浄殺菌水として次亜塩素酸水を活用することが知られている。【０００３】  次亜塩素酸水の生成方法としては、電解法および二液法が知られている。電解法は次亜塩素酸生成時に有害な塩素ガスの発生を抑えるが、単位時間当たりの生成量は少ない。多量に次亜塩素酸水を使用する場合、二液法が採用されるが、有害な塩素ガス発生を防止する方法が必要になる。【０００４】  例えば、水道水あるいは井水等の原水に次亜塩素酸ナトリウム水溶液と酸性の化学薬剤水溶液、例えば塩酸水溶液を添加、混合することによって、原水中に殺菌力の強い次亜塩素酸を合成することができる。ところが次亜塩素酸ナトリウム水溶液と塩酸水溶液が直接反応すると有害な塩素ガスを発生させ危険である。【０００５】  特許文献１あるいは特許文献２に記載されているように、ｐＨの値を適正に保つように次亜塩素酸ナトリウム水溶液と塩酸水溶液の添加量を調整しながら添加・混合する方法や装置が提案されている。
【先行技術文献】
【特許文献】
【０００６】
【特許文献１】特開２００２−３１６１６９
【特許文献２】特開２０１７−２０５３１０
【考案の概要】
【考案が解決しようとする課題】
【０００７】  ところが、特許文献に開示されている装置では次亜塩素酸ナトリウム水溶液や酸性の化学薬剤の水溶液を原水に希釈するためにポンプを用いて供給している。特許文献１ではポンプを駆動して、タンクに貯留されている次亜塩素酸ナトリウム水溶液と塩酸水溶液を垂直方向下方から供給するようにしている。原水の供給を停止すると、同時に次亜塩素酸ナトリウム水溶液や塩酸水溶液も供給停止され、添加部近傍に残った次亜塩素酸ナトリウム水溶液と塩酸水溶液が配管経路を含む循環経路を介してタンクに戻るようにしている。【０００８】  原水によって希釈される前の次亜塩素酸ナトリウム水溶液、塩酸水溶液をポンプによって流しているが、ポンプ内部の劣化が早く寿命が短くなる問題があった。また生成する次亜塩素酸水の有効塩素濃度やｐＨ値を精度よく生成することは難しかった。【０００９】  特許文献２では特許文献１の欠点を改善するため、ポンプとして定量ポンプを用いて次亜塩素酸ナトリウム水溶液および塩酸水溶液を原水に供給している。ダイヤフラムを使用することでポンプ内部の劣化は抑えられ寿命が短くなる可能性も少なくなる。また運転停止後、配管内に濃度の高い次亜塩素酸ナトリウム水溶液や塩酸水溶液が残留しにくい。【００１０】  ところがダイヤフラムを使うことで、送液が脈動し多くの問題が起きる。次亜塩素酸ナトリウム水溶液と塩酸水溶液が原水に連続して送られないことから、均一した濃度の次亜塩素酸水を生成するためには、希釈した次亜塩素酸ナトリウム水溶液、塩酸水溶液の濃度を均一にするためのディスクフィルター等が必要になる。またコントロールバルブの使用ができないために、インバーターやサイリスタの回転数を制御する電気的な対策も必要となる。【００１１】  本考案の課題は、簡単な構成であり、所定のｐＨ値、所定濃度の次亜塩素酸水を、有害な塩素ガスを発生することなく生成可能な次亜塩素酸水の生成装置を提供することにある。
【課題を解決するための手段】
【００１２】  上記の課題を解決するために、本考案は、所定の圧力で供給される原水流の上流側管路と前記上流側管路の下流端から分岐して再び合流する第１分岐管路および第２分岐管路と、前記第１、第２分岐管路の下流端の合流点から延びている下流側管路と、予め設定した濃度の次亜塩素酸ナトリウム水溶液を貯留する第１薬液タンクと、予め設定した濃度の酸性水溶液を貯留する第２薬液タンクと、前記第１分岐管路を流れる原水に、前記第１薬液タンクから次亜塩素酸ナトリウム水溶液を所定量連続に供給する第１アスピレーターと、前記第２分岐管路を流れる原水に、前記第２薬液タンクから酸性水溶液を所定量連続に供給する第２アスピレーターとを有し、前記下流側管路において、次亜塩素酸ナトリウムの希釈水溶液および希釈酸性水溶液を撹拌混合することで、次亜塩素酸水を得ることを特徴とする次亜塩素酸水の生成装置を提供するものである。【００１３】  また、本考案は、下流側管路途中に次亜塩素酸水を貯留する第３薬液タンクを設置することを特徴とする前記次亜塩素酸水の生成装置を提供するものである。【００１４】  また、本考案は、前記第３薬液タンクの上流側の下流側管路は、次亜塩素酸ナトリウムの希薄水溶液と酸性化学薬剤の希薄水溶液が合流する送液チューブであることを特徴とする前記次亜塩素酸水の生成装置を提供するものである。
【考案の効果】
【００１５】  本考案において、次亜塩素酸ナトリウム水溶液と酸性水溶液とは瞬時に化合して次亜塩素酸水となることから、第１分岐管路と第２分岐管路とが合流する下流側管路を混合器として用いる。【００１６】  本考案では、アスピレーターを用いて次亜塩素酸ナトリウム水溶液および酸性水溶液を原水に連続供給している。アスピレーターは原水の水流で生じるベンチュリ―効果を利用してタンク内の薬液を原水に吸引供給することから、供給量を正確に制御することができる。これにより、予め設定したｐＨ値あるいは有効塩素濃度の次亜塩素酸水を確実に得ることができる。【００１７】  また、アスピレーターは原水の水流でタンク内の薬液を吸引するので、ポンプなどの機器装置と異なり電気は一切使用しない。さらに、運転停止後などにおいて、分岐管路内に高濃度の薬液が残留することがない。よって、塩素ガスの発生は無くガス抜きの機構は不要である。【００１８】  さらに、配管経路のレイアウトの自由度が高い。電気装置を一切使用しないので、箱型などの定まった形状の容器内に、配管など構成部品を組み込むことができる。よって、本考案により、低コストの実用性高い次亜塩素酸水の生成装置が実現できる。
【図面の簡単な説明】
【００１９】
【図１】本考案を適用した次亜塩素酸水の生成装置の概略構成を示す説明図である。
【考案を実施するための形態】
【００２０】  以下に、図面を参照して本考案を適用した次亜塩素酸水の生成装置の実施の形態を説明する。図１は、次亜塩素酸水の生成装置の概略構成を示す説明図である。次亜塩素酸水の生成装置１は、水道水などの原水の配管経路として、上流側管路２と、この上流側管路２の下流端から二股に分岐して延びる第１分岐管路３および第２分岐管路４と、これら第１、第２分岐管路３，４の下流端の合流点５から延びている下流側管路６とを備えている。この構成の配管経路が図１において一点鎖線で示す生成装置容器７の内部に組み込まれている。
【００２１】  上流側管路２には、開閉弁８が配置されている。開閉弁８によって、水道水などの原水が、上流側管路２から第１、第２分岐管路３，４のそれぞれを経由して下流側管路６に圧送される。
【００２２】  また、次亜塩素酸水の生成装置１は、第１薬液タンク２１、第２薬液タンク２２および第３薬液タンク２３を備えている。これらのタンク容量は例えば２０リットルである。第１薬液タンク２１には、予め設定した濃度、例えば、濃度４％の次亜塩素酸ナトリウム水溶液が貯留され、第２薬液タンク２２には、予め設定した濃度、例えば濃度４％の塩酸水溶液が貯留される。また、第３薬液タンク２３には、生成された次亜塩素酸水が貯留され、ここから殺菌あるいは消毒対象の医療用器具や植物などに次亜塩素酸水を供給することができる。これら第１〜第３薬液タンク２１〜２３は、外付けのタンクであってもよいし、内蔵のタンクであってもよい。
【００２３】  さらに、次亜塩素酸水の生成装置１は第１アスピレーター３１および第２アスピレーター３２を備えている。
第１アスピレーター３１は、第１分岐管路３の原水の送液力によりアスピレーター内部で生じた負圧で第１薬液タンク２１から次亜塩素酸ナトリウム水溶液を吸引し、第１分岐管路３の原水に連続して定量供給（添加）することができる。第１分岐管３に配置している流量調整弁１１を使い流量計１３で所定の流量に調整し所定の吸引量を得ることが出来る。
【００２４】  第２アスピレーター３２は、第２分岐管路４の原水の送液力によりアスピレーター内部で生じた負圧で第２薬液タンク２２から酸性水溶液を吸引し、第２分岐管路４の原水に連続して定量供給（添加）することができる。第２分岐管４に配置している流量調整弁１２を使い流量計１４で所定の流量に調整して所定の吸引量を得ることが出来る。
【００２５】  第１分岐管３において、第１アスピレーター３１で第１薬液タンクから次亜塩素酸ナトリウム水溶液が連続して原水に供給されるので、均一な希釈次亜塩素酸ナトリウム水溶液となって下流側に流れる。
第２分岐管４において、第２アスピレーター３２で第２薬液タンクから酸性水溶液が連続して原水に供給されるので、均一な希釈酸性水溶液となって下流側に流れる。
【００２６】  下流側管路６には、第１分岐管路３から次亜塩素酸ナトリウムの希釈水溶液が供給され、第２分岐管路４から希釈酸性水溶液が供給される。次亜塩素酸ナトリウムの希釈水溶液および希釈酸性水溶液は合流点５で混合し瞬時に所定のｐＨ値および所定の有効塩素濃度の次亜塩素酸水が生成する。生成された次亜塩素酸水は第３薬液タンク２３に一時的に貯留され、使用先に供給される。
【００２７】  次亜塩素酸水の生成装置１は制御盤のような電装装置を一切必要としない。流量調整弁で原水の流量を調整して薬液の吸引量を調整することができ、所定のｐＨ値および所定の有効塩素濃度の次亜塩素酸水を生成することができる。
【００２８】  以上説明したように、本例の次亜塩素酸水の生成装置１では、原水を第１、第２分岐管路３，４に分岐させている。第１分岐管路３を流れる原水に第１アスピレーター３１を用いて、所定濃度の次亜塩素酸ナトリウム水溶液を連続して定量供給し、次亜塩素酸ナトリウムの均一な希釈水溶液を得ている。これと並行して、第２分岐管路４を流れる原水に、第２アスピレーター３２を用いて所定濃度の酸性水溶液を連続して定量供給し、酸性水溶液の均一な希釈水溶液を得ている。得られた次亜塩素酸ナトリウムの希釈水溶液と希釈酸性水溶液を合流させることにより、所定のｐＨ値および所定の有効塩素濃度の次亜塩素酸水が生成される。
【符号の説明】
【００２９】１    次亜塩素酸水の生成器
２    上流側管路
３    第１分岐管路
４    第２分岐管路
５    合流点
６    下流側管路
７    生成器容器
８    開閉弁
１１  第１分岐管路流量調整弁
１３  第１分岐管路流量計
１２  第２分岐管路流量調整弁
１４  第２分岐管流量計
２１  第１薬液タンク
２２  第２薬液タンク
２３  第３薬液タンク
３１  第１アスピレーター
３２  第２アスピレーター
【図１】
0003227441.tif 000003